(57)【特許請求の範囲】
【請求項１】
上下の横材間に柱と縦格子とを等間隔かつ面一に取り付けた格子面状体をコーナー連結部材を介して角度を変えて連結する格子面状体システムであって、上記格子面状体の横材の端部に上記柱を固定するための柱固定部材を、該柱固定部材の正面と上記横材の正面とが面一の状態となるように取り付け、上記柱固定部材に縦格子と同じ大きさの柱を取り付け、この柱固定部材を介して上記コーナー連結部材を取り付けるとともに、該コーナー連結部材には、隣り合う縦格子または柱と等間隔に取り付け可能な縦格子の取付部としてビス挿通孔を形成したことを特徴とする格子面状体システム。
【請求項２】
上記コーナー連結部材は９０度専用コーナー部材であることを特徴とする、請求項１に記載の格子面状体システム。
【請求項３】
上記格子面状体の設置面上に積まれたコンクリートブロックのコーナー部上に上記９０度専用コーナー連結部材を配置したとき、上記９０度専用コーナー連結部材の端部の柱固定部材に取り付けられた柱は、上記コンクリートブロックに上下方向に連続形成された縦孔内を貫通するように形成されていることを特徴とする、請求項２に記載の格子面状体システム。
【請求項４】
上記コーナー連結部材は角度可変コーナー部材であることを特徴とする、請求項１に記載の格子面状体システム。
【発明の詳細な説明】
【技術分野】
【０００１】
本発明は、上下の横材間に複数の縦格子を取り付けてなり、建築物の正面に角度をなして設置される格子面状体システムに関する。
【背景技術】
【０００２】
一般に、格子面状体はいわゆるファサードを構成するもので、上下の横材間に複数の縦格子を取り付けてなり、建築物の正面に設置されるものである。ファサードとは、建築物の正面の外観のことで、その建築物で最も見せ場となる部分であり、門扉やフェンス、植栽などの外構と密接に関連する。
【０００３】
このように、ファサードはフェンスや外構などとともにエクステリアのデザインとしても重要な部分である。
【発明の開示】
【発明が解決しようとする課題】
【０００４】
ところが、ファサードやフェンスは外観上美麗であることが求められているのであるが、従来のフェンスの範囲を越えることはできなかった。
【０００５】
本発明はこのような問題点を解消し、特に外観が良好なファサードやフェンスを構成することができる格子面状体を鈍角、直角又は鋭角をなして連結する格子面状体システムを提供することをその課題とする。
【課題を解決するための手段】
【０００６】
前記課題を解決するため、請求項１に係る発明は、上下の横材間に柱と縦格子とを等間隔かつ面一に取り付けた格子面状体をコーナー連結部材を介して角度を変えて連結する格子面状体システムであって、上記格子面状体の横材の端部に上記柱を固定するための柱固定部材を、該柱固定部材の正面と上記横材の正面とが面一の状態となるように取り付け、上記柱固定部材に縦格子と同じ大きさの柱を取り付け、この柱固定部材を介して上記コーナー連結部材を取り付けるとともに、該コーナー連結部材には、隣り合う縦格子または柱と等間隔に取り付け可能な縦格子の取付部としてビス挿通孔を形成したことを特徴とする。
【０００７】
請求項２に係る発明は、請求項１において、上記コーナー連結部材は９０度専用コーナー部材であることを特徴とする。
【０００８】
請求項３に係る発明は、請求項２において、上記格子面状体の設置面上に積まれたコンクリートブロックのコーナー部上に上記９０度専用コーナー連結部材を配置したとき、上記９０度専用コーナー連結部材の端部の柱固定部材に取り付けられた柱は、上記コンクリートブロックに上下方向に連続形成された縦孔内を貫通するように形成されていることを特徴とする。
【０００９】
請求項４に係る発明は、請求項１において、上記コーナー連結部材は角度可変コーナー部材であることを特徴とする。
【発明の効果】
【００１０】
請求項１、請求項２及び請求項４に係る発明によれば、上記格子面状体を鈍角、直角又は鋭角をなして連結する格子面状体システムを提供することができる。
【００１１】
また、コーナー連結部材には、隣り合う縦格子または柱と等間隔に取り付け可能な縦格子の取付部が形成されているので、全体の外観が不自然にならず、仕上りがよい。
【００１２】
請求項３に係る発明によれば、コンクリートブロックによる下地材上に格子面状体を施工する場合も、下地材の一部を破壊したり加工したりする必要がなく、容易且つ確実に格子面状体を配設することができる。
【発明を実施するための最良の形態】
【００１３】
図１は格子面状体の正面図、図２は図１のＸ−Ｘ線上の一部の断面図であり、図３は図１のＹ−Ｙ線上の断面図である。
【００１４】
上図において符号ａは格子面状体を示す。格子面状体ａは、アルミニウム等の押出型材から構成され、上下の横材１、２間に複数の縦格子３を取り付け、上記横材１、２の端部に柱固定部材４を取り付け、該柱固定部材４に縦格子３と同じ大きさの柱５を取り付け、柱５と縦格子３とを等間隔かつ面一に取り付けたものである。
【００１５】
横材１、２は断面が方形で、正面側に縦格子３と柱５の取付面６が形成され、背面側の上下端縁にはＬ形溝７が形成されている。なお、背面の中央には固定ビスとドライバを挿入するための作業溝８（図４参照）が開口し、この作業溝には溝隠し板９が取り付けられている。
【００１６】
縦格子３と柱５は断面が同じ大きさの方形に形成されている。長さは柱５の方が縦格子３よりも長い。
【００１７】
柱固定部材４は図４に示されるようにブロック状に形成され、部材本体４ａとその背面側から側方に突出した連結部１０とからなり、連結部１０の下端には支持片１１が正面側に突出形成されている。そして、部材本体４ａの中央と連結部１０にはビス挿通孔１２、１３が形成されている。
【００１８】
次に、上下の横材１、２に縦格子３を取り付けるときは、横材１、２の作業溝８から固定ビス１４を入れ、横材１、２の正面板から縦格子３に固定ビス１４をねじ込んで固定する。なお、隣り合う縦格子３間の間隔は等間隔に設定されている。
【００１９】
横材１、２の両端には柱固定部材４が取り付けられている。柱固定部材４の部材本体４ａの側面に横材１、２の端面が突き当てられ、また柱固定部材４の連結部１０は横材１、２の背面に係合し、さらに柱固定部材４の支持片１１には横材１、２の下面のＬ形溝７が係合している。そして、連結部１０が横材１、２に固定ビス１４でネジ止め固定されている。これにより、柱固定部材４は、部材本体４ａの正面と横材１、２の正面とが面一の状態で横材１、２に取り付けられる。
【００２０】
次に、柱固定部材４の部材本体４ａの正面に柱５を当て、部材本体４ａの裏側からビス挿通孔１２に挿通された固定ビス１４により柱５が固定されている。柱５の下端は地中の固定用ブロック１５に固定されて格子面状体ａ全体を支持する。
【００２１】
なお、縦格子３は上述のように等間隔に配置されているが、両端の縦格子３の隣りには、横材１、２の端部に設けられた柱固定部材４を介して柱５が固定されるので、一端の柱固定部材４に固定された柱５の中心Ｐと他端の柱固定部材４に固定された柱５の中心Ｐまでの間に縦格子３が等間隔に配置されるように設定されている。
【００２２】
上述のように、格子面状体ａは、全体を支持する柱５と縦格子３とが正面側に同じ大きさの断面で面一に、かつ等間隔に配置されているから、正面側から見ると、格子状の面板が張られているようなシンプルな構造なので、かえって目立ちやすく、好ましい外観のファサードを構成することができる。
【００２３】
なお、柱固定部材４の構成は上述の形態に限定されない。例えば、連結部は横材の内部に嵌合してビス止め固定する構成であってもよい。
【００２４】
次に、図４〜図６に示されるように、上記構成の複数の格子面状体ａをシステムとして連結することにより大きな格子面状体Ａを組み立てることができる。
【００２５】
この場合は、図５および図７に示されるように、上記柱固定部材４の両側に連結部１０を形成すればよい。新しい連結部１０にも支持片１１が形成されている。一枚の格子面状体ａの上下の横材１、２の端部に上記柱固定部材４を取り付け、さらに、突出している連結部１０を、上述と同じ要領で同じ構成の他の格子面状体ａの横材１、２の端部に取り付けることにより、２枚の格子面状体ａは連結される。さらに、上記柱固定部材４に柱５を固定して地中に埋設すれば完成する。
【００２６】
以上のような格子面状体システムによれば、全ての柱５と縦格子３が面一で等間隔に現われるから、外観的には一枚の長い格子面状体ａが形成されているようなファサードやフェンスを構成することができる。通常のフェンスはパネル体を間柱式または自在柱式に連結することが行なわれており、上述の格子面状体Ａは実際には間柱式の連結態様であるが、見掛け上は自在柱式で連結したような、同じ格子模様が連続する外観を呈する。したがって、シンプルな構造なので、かえって目立ちやすく、好ましい外観のファサードやフェンスを構成することができる。また、高い取付強度を得ることができる。
【００２７】
次に、上記構成の格子面状体システムにおいて、隣り合う格子面状体ａをコーナー連結部材を介して角度を変えて連結する場合は連結部材を介して連結する。
【００２８】
まず、コーナーが９０度のときは９０度専用コーナー部材を使用すればよい。すなわち、この９０度専用コーナー連結部材１６は、図８および図９に示されるように、２つの連結部１７を直角に形成したもので、連結部１７は上記横材１、２と同じ大きさの断面を備え、その端部にはＬ形溝７が形成されている。また、角部の内側には縦格子３の取付部としてビス挿通孔１８が形成されている。このビス挿通孔１８の中心と柱固定部材４の中心との間隔Ｌ１は、柱固定部材４と横材１、２上の縦格子３の中心との間隔Ｌ２と等しくなるように設定されている。
【００２９】
上記構成のコーナー連結部材１６を介して出隅を構成するときは、図８に示されるように、互いに直角に連結すべき格子面状体ａの上下の横材１（２）の端部に設けられた柱固定部材４の連結部１０の支持片１１に上記コーナー連結部材１６の連結部１７のＬ形溝７を係合させ、柱固定部材４の連結部１０から挿通されたビス１４をコーナー連結部材１６の連結部１０にねじ込むことによって固定すればよい。そして、上記コーナー連結部材１６の取付部のビス挿通孔１８からビス１４を挿通してコーナー連結部材１６の外側に配置された縦格子３にねじ込んで固定する。これによれば、コーナー部においても縦格子３および柱５の間隔が等間隔に保たれる。
【００３０】
次に、上記構成のコーナー連結部材１６を介して入隅を構成するときは、図１０に示されるように、互いに直角に連結すべき格子面状体ａの上下の横材１（２）の端部の柱固定部材４の連結部１０の支持片１１に上記コーナー連結部材１６の連結部１０のＬ形溝７を係合させ、柱固定部材４の連結部１０から挿通されたビス１４をコーナー連結部材１６の連結部１０にねじ込むことによって固定すればよい。この場合は、内側に縦格子３を取り付けることはできないから、ビス挿通孔１８はシール２０を貼り付けて隠せばよい。
【００３１】
なお、コーナー連結部材１６には２本以上の縦格子３を等間隔に取り付けるように構成してもよい。
【００３２】
上述の連結構成によれば、コーナー連結部材１６には、隣り合う縦格子３または柱５と等間隔に取り付け可能な縦格子取付用のビス挿通孔が形成されているので、全体の外観が不自然にならず、仕上りがよい。
【００３３】
次に、図１１〜図１３に示す角度可変コーナー連結部材２１を用いることにより、格子面状体ａを自由な角度で連結することができる。すなわち、角度可変コーナー連結部材２１は、２つの連結材２２を一端において軸体２３により回動可能に連結したもので、各連結材２２の他端にはＬ形溝７が形成されている。また、角部の内側には縦格子３の取付部としてビス挿通孔１８が形成されている。このビス挿通孔１８と柱固定部材４の中心との間隔Ｌ３は、９０度専用コーナー部材１６と同様、柱固定部材４と横材１、２の縦格子３の中心との間隔Ｌ４と等しくなるように設定されている。
【００３４】
上記構成のコーナー連結部材２１を介して格子面状体ａを鋭角に連結するときは、図１１および図１２に示されるように、互いに連結すべき格子面状体ａの上下の横材１（２）の端部に設けられた柱固定部材４の連結部１０の支持片１１に上記コーナー連結部材２１の連結部１０のＬ形溝７を係合させ、柱固定部材４の連結部１０から挿通されたビス１４をコーナー連結部材２１の連結部１０にねじ込むことによって固定すればよい。そして、上記コーナー連結部材２１の取付部のビス挿通孔１８からビス１４を挿通してコーナー連結部材２１の外側に配置された縦格子３にねじ込んで固定する。この場合、両方の取付部１８に縦格子３を取り付けることはできないから、一方の取付部にのみ縦格子３を取り付ける。これによれば、コーナー部においても一側だけは縦格子３および柱５の間隔が等間隔に保たれる。
【００３５】
なお、上記角度可変コーナー連結部材２１においても、２本以上の縦格子３を等間隔に取り付けるように構成してもよい。
【００３６】
これに対し、上記構成のコーナー連結部材２１を介して格子面状体ａを鈍角に連結するときは、図１３に示されるように、互いに連結すべき格子面状体ａの上下の横材１（２）の端部に設けられた柱固定部材４の端部の連結部１０の支持片１１に上記コーナー連結部材２１の連結部１０のＬ形溝７を係合させ、柱固定部材４の連結部１０から挿通されたビス１４をコーナー連結部材２１の連結部１０にねじ込むことによって固定すればよい。そして、上記コーナー連結部材２１の取付部のビス挿通孔１８からビス１７を挿通してコーナー連結部材２１の外側に配置された縦格子３にねじ込んで固定する。これによれば、コーナー部においても縦格子３および柱５の間隔が等間隔に保たれる。
【００３７】
なお、上記構成のコーナー連結部材２１を介して出隅を構成するときは図１３に準じた構成とすればよく、入隅を構成するときは、図１１に準じた構成とすればよい。
【００３８】
上述の構成によれば、設置場所の条件に応じてどのような角度にも対応して設置することができるので、非常に便利である。また、コーナー連結部材２１には、隣り合う縦格子３または柱５と等間隔に取り付け可能な縦格子３の取付部が形成されているので、全体の外観が不自然にならず、仕上りがよい。
【００３９】
なお、上記格子面状体Ａは、通常は地面をベースとし、この地面に直接に設置されるが、図１４〜図１６に示されるように、設置面上に複数のコンクリートブロックｂ（コンクリートブロックｂ１を含む）を何段か積み上げて下地ブロックＢとし、さらにこの下地ブロックＢの上に格子面状体を設置する場合もある。なお、コンクリートブロックｂ１はコーナー部専用のブロックである。このような場合は、柱５と下地ブロックＢが干渉し合うことになる。そこで、下地ブロックＢのコーナー部上に上記９０度専用コーナー連結部材１６が配置されるときは、上記９０度専用コーナー連結部材１６の端部の柱固定部材４に取り付けられた柱５は、上記コーナー部を構成するコンクリートブロックｂ、ｂ１に上下方向に連続形成された縦孔２４内を貫通するように形成されている。縦孔２４に貫通された柱５のまわりにはセメント２６を詰めて柱５を固定する。
【００４０】
また、このように下地ブロックＢをベースとする場合は、コーナーだけでなく、ストレート部分においても柱５が下地ブロックＢと干渉し合うから、柱５がコンクリートブロックｂの縦孔２４を貫通する構成でなければならない。したがって、図１７に示されるように、コンクリートブロックｂを長手方向に連結した場合の縦孔２４と、格子面状体Ａの両端の柱固定部材４に取り付けられる柱５の位置とが一致するように寸法設定する。
【００４１】
さらに、コンクリートブロックｂ、ｂ１は、長さ３９０ｍｍ、高さ１９０ｍｍは共通で、幅が１００ｍｍと１２０ｍｍと１５０ｍｍの３種類がほとんどで、それぞれに３個の縦孔２４が形成されている。種類によって縦孔２４の大きさは多少異なるが、その位置はほとんど同じである。また、幅狭のコンクリートの縦孔２４は柱５よりも小さい場合があるが、これに対応し、図１８および図１９に示されるように、柱５を柱本体５ａとその内部に挿入された補強用芯柱５ｂとから構成し、補強芯柱５ｂを下地ブロックＢの縦孔２４に貫通させ、下地ブロックＢの上に柱本体５ａを配置する構成としてもよい。
【００４２】
上記構成によれば、コンクリートブロックによる下地ブロックＢ上に格子面状体Ａを施工する場合も、下地ブロックＢの一部を破壊したり加工したりする必要がなく、容易且つ確実に格子面状体Ａを配設することができる。
【００４３】
なお、上述の実施形態において、いずれかの縦格子又は柱に照明器具のような機器を取り付けてもよい。この場合、電源コードは縦格子又は柱の内部を通せばよい。
【産業上の利用可能性】
【００４４】
上記構成の格子面状体および格子面状体システムは、ファサードに限定されない。フェンスや外構などにも適用することができる。
【図面の簡単な説明】
【００４５】
【図１】格子面状体の正面図である。
【図２】図１のＸ−Ｘ線上の断面図である。
【図３】図１のＹ−Ｙ線上の断面図である。
【図４】柱固定部材の斜視図である。
【図５】連結された格子面状体の正面図である。
【図６】図５のＺ−Ｚ線上の断面図である。
【図７】柱固定部材の他の形態の斜視図である。
【図８】格子面状体により出隅を構成した状態の平面図である。
【図９】９０度専用コーナー連結部材の斜視図である。
【図１０】格子面状体により入隅を構成した状態の平面図である。
【図１１】格子面状体を鋭角に連結した状態の平面図である。
【図１２】図１１の側面図である。
【図１３】格子面状体を鈍角に連結した状態の平面図である。
【図１４】コンクリートブロックのコーナー部上に格子面状体システムを設置した状態の一部の正面図である。
【図１５】図１４の一部の平面図である。
【図１６】図１４の要部の拡大断面図である。
【図１７】格子面状体の縦格子・柱とコンクリートブロックの縦孔との位置関係を示す説明図である。
【図１８】縦孔よりも柱の方が大きい場合を示す平面図である。
【図１９】図１８の要部の縦断面図である。
【符号の説明】
【００４６】
ａ  格子面状体
１、２  横材
３  縦格子
４  柱固定部材
５  柱
１０  連結部
１６、２１  コーナー連結部材
１８  取付部（ビス挿通孔）
【図１】
0004717660.tif 000002
【図２】
0004717660.tif 000003
【図３】
0004717660.tif 000004
【図４】
0004717660.tif 000005
【図５】
0004717660.tif 000006
【図６】
0004717660.tif 000007
【図７】
0004717660.tif 000008
【図８】
0004717660.tif 000009
【図９】
0004717660.tif 000010
【図１０】
0004717660.tif 000011
【図１１】
0004717660.tif 000012
【図１２】
0004717660.tif 000013
【図１３】
0004717660.tif 000014
【図１４】
0004717660.tif 000015
【図１５】
0004717660.tif 000016
【図１６】
0004717660.tif 000017
【図１７】
0004717660.tif 000018
【図１８】
0004717660.tif 000019
【図１９】
0004717660.tif 000020